(57)【要約】【課題】吸水材料を取り付けるに際して、その作業性が良く、かつ、例えば吸水材料劣化により交換しなければならない時でも交換作業性が良く、そして取り付けられた後では防水機能が十分に発揮されるようにした電子装置を提供することである。【解決手段】筐体１と、蓋体５と、筐体１および蓋体５によって構成される内部空間３，６に収納された電子機器２とを備えた電子装置において、筐体１および蓋体５には互いに対向するよう溝４，７が形成されてなり、溝４，７には、非吸水時における幅が溝４，７の幅とほぼ同じであり、かつ、非吸水時においては、先端８ａと先端９ａとが当接しておらず、しかしながら吸水時においては膨張して溝４，７から突出し、先端８ａと先端９ａとが接合するものとなる吸水膨張・放水収縮性樹脂８，９が嵌入されてなる。【選択図】  図６
2004186177.tif 000002
【特許請求の範囲】
【請求項１】
筐体と、蓋体と、前記筐体および蓋体によって構成される内部空間に収納された電子機器とを備えた電子装置において、
前記筐体および蓋体の少なくとも一方における他方への対向面には溝が形成されてなり、
前記溝には、非吸水時における幅が該溝の幅とほぼ同じであり、吸水時においては膨張して該溝から突出する吸水膨張・放水収縮性樹脂が嵌入されてなることを特徴とする電子装置。
【請求項２】
筐体および蓋体には互いに対向するよう溝が形成されてなり、
前記各々の溝には、非吸水時における幅が該溝の幅とほぼ同じであり、吸水時においては膨張して該溝から突出し、互いの先端同士が接合するものとなる吸水膨張・放水収縮性樹脂が嵌入されてなる
ことを特徴とする請求項１の電子装置。
【請求項３】
非吸水時においては、溝に嵌入されている吸水膨張・放水収縮性樹脂の先端が対向面に接合されていないよう構成されてなることを特徴とする請求項１又は請求項２の電子装置。
【発明の詳細な説明】
【０００１】
【発明の属する技術分野】
本発明は、例えばノートパソコン、ブックパソコン等のパーソナルコンピュータ、或いはその他の携帯型電子装置と言った電子装置に関する。
【０００２】
【従来技術】
携帯型の電子装置は、一般的に、筐体と蓋体とによって構成される内部空間に電子機器が収納された構造を持っている。そして、この種の電子装置は、内蔵されている電子機器が水や湿気に弱いことから、各種の防水が施されている。
【０００３】
例えば、筐体と蓋体との合わせ目にゴム製のｏリングを配設し、ｏリングで隙間を埋めることによって防水することが行われている。
【０００４】
しかしながら、ゴム製のｏリングを用いた手法は、閉蓋時において筐体や蓋体に過剰な圧力が作用し、筐体や蓋体の耐久性を低下せしめる問題が有る。更には、ｏリングの配設作業に精密加工を要し、手間が掛かる等の問題も有る。又、ゴム製のｏリングが劣化した場合に、その交換が簡単ではない等の問題も有る。
【０００５】
【特許文献１（特開平４−３４８１６号公報）】
ところで、上記ゴム製のｏリングを用いるのでは無く、リレー本体を収納したケースとベース等よりなるリレーであって、プリント基板上にはんだ付けにより実装され、電子部品などと共にフラックス除去用の洗浄を行うプリント基板用リレーにおいて、前記ケース又はベースが形状記憶樹脂材よりなると共にこの両者の嵌合部間に高分子吸収ポリマー材を設けてなり、洗浄後に変形設定温度以上の加熱をすることにより前記嵌合部に隙間がもうけられてなることを特徴とするプリント基板用リレーが提案（特開平４−３４８１６号公報）されている。
【０００６】
この提案の技術では、リレーのケースとベースとの間に高分子吸収ポリマー材が設けられていて、洗浄液中に漬けられた場合に、洗浄液が内部に浸入しないようになっている。
【０００７】
しかしながら、洗浄液の浸入を阻止する役割を果たす高分子吸収ポリマー材は、高分子吸収ポリマーでは無く、ゴムであっても一向に差し支えが無い。
【０００８】
そして、本願発明との関係で説明すると、そもそも、高分子吸収ポリマー材が吸水によって膨張変形するものであるか否かが不明である。更には、吸水膨張・放水収縮と言った現象を利用して防水を図ろうとする考えが皆無であることから、特許文献１から本願発明を想到せしめる動機付けは得られない。
【０００９】
【特許文献２（特開平８−３１６６７６号公報）】
又、電子部品を収納する筐体を構成する壁の少なくとも一部を、湿度に応じて水分を吸収したり放出したりする吸・放湿材料（例えば、ナイロン、ポリエステル等の生地の片面に形状記憶ポリマーをコーティングしたものとか、ラミネート状に製作したもの）で構成し、前記吸・放湿材料により高湿度側の空気から吸収した水分を低湿度側の空気に放出することにより、前記筐体内の湿度が制御されることを特徴とする電子装置が提案（特開平８−３１６６７６号公報）されている。
【００１０】
この提案の技術は、ナイロン、ポリエステル等の生地の片面に形状記憶ポリマーをコーティングしたものとかラミネート状に製作した吸・放湿材料を用いて、筐体の壁を構成しようとしたものである。
【００１１】
しかしながら、本願発明との関係で説明すると、特許文献２が提案したナイロン、ポリエステル等の生地の片面に形状記憶ポリマーをコーティングしたものとかラミネート状に製作した吸・放湿材料が、そもそも、吸湿（吸水）によって膨張し、放湿（放水）によって収縮変形するものであるか否かが不明である。更に言うと、特許文献２では、吸湿（吸水）膨張・放湿（放水）収縮と言った現象を利用して防水を図ろうとする考えが皆無である。従って、特許文献２から本願発明を想到せしめる動機付けは得られない。
【００１２】
【特許文献３（特開平１０−７４４９７号公報）】
又、電池を使用する機器筐体における電池収納部において、電池の外筒と蓋体との継ぎ目部分を有する端面とこれに対向する電池収納部側の面との間に、吸水性を有するパッドを介在させたことを特徴とする電池の収納構造が提案（特開平１０−７４４９７号公報）されている。
【００１３】
この提案の技術は、配設された吸水性ポリマーによって漏液した電解液を吸収せしめ、漏液による被害を食い止めようとしたものである。
【００１４】
しかしながら、本願発明との関係で説明すると、特許文献３が提案した吸水性ポリマーが、そもそも、吸水によって膨張し、放水によって収縮変形するものであるか否かが不明である。更に言うと、特許文献３では、吸水膨張・放水収縮と言った現象を利用して防水を図ろうとする考えが皆無である。従って、特許文献３から本願発明を想到せしめる動機付けは得られない。
【００１５】
【特許文献４（特開２００１−２２８９５０号公報）】
又、キーボードユニットと、筐体と、吸水部材とを具備し、前記筐体は前記キーボードユニットを保持する保持部と、回路基板を収納する収納部とを有し、前記吸水部材が前記保持部の周辺に接して設けられていることを特徴とする防水キーボード装置が提案（特開２００１−２２８９５０号公報）されている。
【００１６】
この提案の技術は、キーボードの上にコーヒー等の液体をこぼして水分が隙間から下に染み込んでも、吸水部材に水分を吸収させ、電気的なトラブルを防ごうとしたものである。
【００１７】
しかしながら、本願発明との関係で説明すると、特許文献４が提案した吸水部材が、そもそも、吸水によって膨張し、放水によって収縮変形するものであるか否かが不明である。更に言うと、特許文献４では、吸水膨張・放水収縮と言った現象を利用して防水を図ろうとする考えが皆無である。従って、特許文献４から本願発明を想到せしめる動機付けは得られない。
【００１８】
【発明が解決しようとする課題】
従って、本発明が解決しようとする課題は、吸水膨張・放水収縮と言った現象を有する材料の特性を上手く利用して防水が図られた電子装置を提供することである。更に詳しく説明すると、前記材料を取り付けるに際して、その作業性が良く、かつ、例えば材料劣化により交換しなければならない時でも交換作業性が良く、そして取り付けられた後では防水機能が十分に発揮されるようにした電子装置を提供することである。
【００１９】
【課題を解決するための手段】
前記の課題は、筐体と、蓋体と、前記筐体および蓋体によって構成される内部空間に収納された電子機器とを備えた電子装置において、
前記筐体および蓋体の少なくとも一方における他方への対向面には溝が形成されてなり、
前記溝には、非吸水時における幅が該溝の幅とほぼ同じであり、吸水時においては膨張して該溝から突出する吸水膨張・放水収縮性樹脂が嵌入されてなることを特徴とする電子装置によって解決される。
【００２０】
特に、筐体と、蓋体と、前記筐体および蓋体によって構成される内部空間に収納された電子機器とを備えた電子装置において、
前記筐体および蓋体には互いに対向するよう溝が形成されてなり、
前記各々の溝には、非吸水時における幅が該溝の幅とほぼ同じであり、吸水時においては膨張して該溝から突出し、互いの先端同士が接合するものとなる吸水膨張・放水収縮性樹脂が嵌入されてなる
ことを特徴とする電子装置によって解決される。
【００２１】
すなわち、筐体および／または蓋体に溝を形成しておき、この溝に吸水膨張・放水収縮性樹脂を嵌入しておくのであるが、その際、嵌入量（体積）を溝の容積よりも小さいものとしておけば、吸水膨張・放水収縮性樹脂を嵌入せしめるのが簡単である。すなわち、大きな圧力を掛けて押し込む必要が無いから、吸水膨張・放水収縮性樹脂の嵌入が簡単である。又、樹脂が経時変化により劣化した場合でも、水分が放出されて収縮しておれば、溝から取り出すのも容易である。すなわち、樹脂の交換作業が容易である。
【００２２】
そして、吸水により膨張し、溝の大きさよりも大きくなって溝より露出し、相手側、例えば互いの先端同士が接合するようになると、筐体と蓋体との隙間が閉鎖される。従って、筐体および蓋体によって構成される内部空間に収納された電子機器に対する防水機能が奏されるようになる。
【００２３】
尚、筐体と蓋体との双方に互いに対向する溝を形成し、これ等の溝に吸水膨張・放水収縮性樹脂を嵌入しておれば、吸水による変化量（高さ）が一つの場合に比べて倍になるから、樹脂同士が速く接合する。従って、防水機能が迅速に発揮される。
【００２４】
そして、上記本発明の電子装置において、非吸水時においては、溝に嵌入されている吸水膨張・放水収縮性樹脂の先端が対向面に接合されていないよう構成されてなることが好ましい。これは、装置を使用した直後に閉蓋しても、非吸水時には、樹脂の先端と対向面との間に隙間が有り、この隙間から内部にある熱は外部に効果的に放出されるようになるからである。
【００２５】
【発明の実施の形態】
本発明になる電子装置は、筐体と、蓋体と、前記筐体および蓋体によって構成される内部空間に収納された電子機器とを備えた電子装置において、前記筐体および蓋体の少なくとも一方における他方への対向面には溝が形成されてなり、前記溝には、非吸水時における幅が該溝の幅とほぼ同じであり、吸水時においては膨張して該溝から突出する吸水膨張・放水収縮性樹脂が嵌入されてなる。特に、筐体と、蓋体と、前記筐体および蓋体によって構成される内部空間に収納された電子機器とを備えた電子装置において、前記筐体および蓋体には互いに対向するよう溝が形成されてなり、前記各々の溝には、非吸水時における幅が該溝の幅とほぼ同じであり、吸水時においては膨張して該溝から突出し、互いの先端同士が接合するものとなる吸水膨張・放水収縮性樹脂が嵌入されてなる。そして、非吸水時においては、溝に嵌入されている吸水膨張・放水収縮性樹脂の先端が対向面に接合されていないよう構成されている。
【００２６】
以下、更に具体的に説明する。
【００２７】
図１〜図７は本発明になる電子装置の第１実施形態を示すものであり、図１は筐体の平面図、図２は筐体の溝内に嵌入される樹脂の平面図、図３は蓋体の底面図、図４は蓋体の溝内に嵌入される樹脂の平面図、図５は電子機器および樹脂が組み込まれた状態で非吸水時における断面図、図６は吸水状態での断面図、図７は放水時での断面図である。
【００２８】
各図中、１は、プラスチックや金属で構成された所定形状の筐体である。筐体１には、従来の筐体と同様、電子機器２を搭載（収納）する収納部３が形成されている。更に、本発明の特徴の一つでもある溝４が収納部３の周囲に形成されている。
【００２９】
５は、プラスチックや金属で構成された所定形状の蓋体である。蓋体５には、従来の蓋体と同様、電子機器２を搭載（収納）する収納部６が形成されている。更に、本発明の特徴の一つでもある溝７が収納部６の周囲に形成されている。
【００３０】
尚、図５〜図７からも判る通り、溝４と溝７とは閉蓋時において対向する位置に形成されている。
【００３１】
８は、溝４に嵌入される吸水膨張・放水収縮性樹脂、例えばポリアクリル酸ナトリウム塩を主成分とする樹脂である。９は、溝７に嵌入される吸水膨張・放水収縮性樹脂、例えばポリアクリル酸ナトリウム塩を主成分とする樹脂である。これらの溝４，７に嵌入される樹脂８，９は、非吸水状態において、その幅が溝４，７の幅とほぼ同じであり、その高さも溝４，７の深さとほぼ同じに構成されている。すなわち、非吸水状態の樹脂８，９は、溝４，７に殆ど抵抗なく嵌入させることが出来るように構成されている。かつ、嵌入させた場合、溝内にすっぽりと入り込むことが出来るように構成されている。但し、樹脂８，９の寸法精度は大雑把なもので良い。と言うのは、非吸水状態において、樹脂８，９を溝４，７に嵌入させるのに大きな抵抗が掛からず、かつ、嵌入後には自然に取れ落ちることが無いと言った程度のものであれば良いからによる。更に、吸水した場合において、樹脂８，９が膨張し、溝４に嵌入されている樹脂８の先端面８ａと溝７に嵌入されている樹脂９の先端面９ａとが接合するようになるものであれば良い。
【００３２】
上記のように構成させていると、水分が無く、又、湿気もそれ程では無い通常時にあっては、図５又は図７に示すようになっている。すなわち、溝４，７に嵌入されている樹脂８，９は非吸水状態であることから、収縮しており、樹脂８の先端面８ａと樹脂９の先端面９ａとの間には隙間が有る。つまり、通気性が確保されている。従って、装置を使用した直後に閉蓋しても、内部にある熱は樹脂８の先端面８ａと樹脂９の先端面９ａとの間の隙間を介して外部に放出される。
【００３３】
そして、水が掛かって来た場合にあっては、筐体１と蓋体５との合わせ面に隙間が有るので、この隙間から内部に水分が浸入するようになる。そして、水が浸入し始めると、樹脂８，９が水を吸収して膨張し、図６に示される通り、樹脂８の先端面８ａと樹脂９の先端面９ａとが接合するようになる。従って、内部には水分が浸入しないようになり、防水機能が発揮される。
【００３４】
尚、図６の状態で装置を使用した直後に閉蓋した場合、図５，７の場合と異なって、隙間が樹脂８，９で閉塞されているものの、この場合には内部の熱によって樹脂中に吸収されている水分は放出せしめられ、そして図５，７のように隙間が出来るようになり、放熱が徐々に行われるようになる。
【００３５】
図８は、本発明になる電子装置の第２実施形態を示す筐体の平面図である。
【００３６】
本実施形態にあっては、前記実施形態のものにおいて、溝４の内側に溝１４が更に形成されており、この溝にも前記実施形態の吸水膨張・放水収縮性樹脂と同様な吸水膨張・放水収縮性樹脂１５が嵌入されている。すなわち、水分に特に弱い電子部品１６に対しては二重に本願発明の防水機構が施されている。その他の構成については、第１実施形態のものと基本的に同じであるから、同じ部分には同一符号を付して詳細は省略する。
【００３７】
【発明の効果】
内蔵されている電器機器が水分から保護される。すなわち、筐体および／または蓋体に形成した溝に嵌入された吸水膨張・放水収縮性樹脂によって、内蔵されている電器機器が水分から保護される。
【００３８】
そして、溝に嵌入させる樹脂は、非吸水時における幅が該溝の幅とほぼ同じであり、吸水時においては膨張して該溝から突出するものとしたから、特に、対向面に当接するものとなるようにしたから、単に、防水機能が奏されるのみでなく、樹脂の取付作業性が良く、かつ、樹脂の劣化による交換に際しても交換作業性が良い。
【００３９】
又、溝に嵌入している樹脂と対向面との間に隙間があると、この隙間から外部に熱が放出されるようになる。
【図面の簡単な説明】
【図１】本発明の電子装置の第１実施形態の筐体の平面図
【図２】本発明の電子装置の第１実施形態の筐体の溝内に嵌入される樹脂の平面図
【図３】本発明の電子装置の第１実施形態の蓋体の底面図
【図４】本発明の電子装置の第１実施形態の蓋体の溝内に嵌入される樹脂の平面図
【図５】本発明の電子装置の第１実施形態の溝内に樹脂が嵌入された状態での断面図
【図６】本発明の電子装置の第１実施形態の溝内に樹脂が嵌入された状態での断面図
【図７】本発明の電子装置の第１実施形態の溝内に樹脂が嵌入された状態での断面図
【図８】本発明の電子装置の第２実施形態の筐体の平面図
【符号の説明】
１                筐体
２                電子機器
３，６            収納部
４，７，１４      溝
５                蓋体
８，９，１５      吸水膨張・放水収縮性樹脂
【図１】
2004186177.tif 000003
【図２】
2004186177.tif 000004
【図３】
2004186177.tif 000005
【図４】
2004186177.tif 000006
【図５】
2004186177.tif 000007
【図６】
2004186177.tif 000008
【図７】
2004186177.tif 000009
【図８】
2004186177.tif 000010